(57)【特許請求の範囲】
【請求項１】
採光部から執務室内に入射する昼光を遮蔽する遮蔽手段を制御し、所定のアルゴリズムにより当該遮蔽手段における光の透過度を調節することで採光部からの入射光量を調整する昼光遮蔽制御装置であって、
屋外の照度を検出する照度検出手段と、執務室内で執務する複数の執務者の覚醒度を取得する覚醒度取得手段と、覚醒度取得手段により取得した個々の執務者の覚醒度を用いて執務者全員の覚醒度を評価する覚醒度評価手段とを備え、
制御手段は、照度検出手段で検出する屋外の照度が所定の照度基準値よりも大きいという照度条件、並びに覚醒度評価手段で評価する執務者全員の覚醒度が所定の第１覚醒度基準値よりも低いという第１の覚醒度条件の少なくとも一方が満たされない場合は、前記アルゴリズムによって遮蔽手段における透過度を調節し、照度条件と第１の覚醒度条件が両方とも満たされた場合は、前記アルゴリズムによる透過度よりも所定時間だけ遮蔽手段における透過度を増大させることを特徴とする昼光遮蔽制御装置。
【請求項２】
前記所定時間は、覚醒度評価手段で評価する執務者全員の覚醒度が、第１覚醒度基準値よりも大きい値に設定された第２覚醒度基準値を超えるまでの時間としたことを特徴とする請求項１記載の昼光遮蔽制御装置。
【請求項３】
制御手段は、前記所定時間が予め決められた上限時間に達した場合、前記アルゴリズムによって遮蔽手段における透過度を調節することを特徴とする請求項２記載の昼光遮蔽制御装置。
【請求項４】
執務者による操作入力を受け付ける操作入力受付手段を備え、前記所定時間内に操作入力受付手段で操作入力が受け付けられた場合、制御手段は、前記アルゴリズムによって遮蔽手段における透過度を調節することを特徴とする請求項１〜３の何れか１項に記載の昼光遮蔽制御装置。
【請求項５】
制御手段は、前記所定時間の開始時点から操作入力受付手段で操作入力が受け付けられた時点までの経過時間と、当該経過時間内の遮蔽手段における透過度とを記憶し、次に照度条件と第１の覚醒度条件が両方とも満たされた場合は、記憶した前記経過時間及び透過度に応じた所定量だけ所定時間を短くするか若しくは透過度を減少させることを特徴とする請求項１〜４の何れか１項に記載の昼光遮蔽制御装置。
【請求項６】
照度条件と第１の覚醒度条件が両方とも満たされることで制御手段が遮蔽手段における透過度の調節を開始する前に、各執務者に対して透過度の調節開始を報知する報知手段を備えたことを特徴とする請求項１〜５の何れか１項に記載の昼光遮蔽制御装置。
【請求項７】
第１覚醒度基準値は、過去の覚醒度の履歴に基づいて時間帯や曜日などの他の条件に応じた値に設定されることを特徴とする請求項１〜６の何れか１項に記載の昼光遮蔽制御装置。
【発明の詳細な説明】
【技術分野】
【０００１】
本発明は、採光部による屋内への採光を制御する昼光遮蔽制御装置に関するものである。
【背景技術】
【０００２】
近年、地球温暖化などの環境に対する懸念により省エネルギ化への社会的要求が増加している。特に、昼光（日光）の導入を利用した省エネルギ制御は、自然エネルギ利用として期待は高く、また昼光を採光部である窓から執務室内へ導入する場合、窓本来の機能である利用者の外部環境とのつながりを促すことから執務者の開放感や快適性の面からも有効と考えられる。このような背景により、近年の制御技術の発展に伴い、外環境の状態に合わした昼光遮蔽（日射遮蔽）をブラインドの開閉により自動的に行う昼光遮蔽制御装置が普及しつつある。
【０００３】
その一つとして本出願人は、屋外の日射状態と屋内における照明装置の配置情報とブラインドの開閉度とに基づいて採光部における眩しさ感の評価指標を推定し、眩しさ感の評価指標が不快を示す値でなくなるようにブラインドの開閉度を調節する昼光遮蔽制御装置をすでに提案している（特許文献１参照）。
【特許文献１】特開２００７−１２００９０号公報
【発明の開示】
【発明が解決しようとする課題】
【０００４】
ところで、執務中の人（執務者）の覚醒度が低下した場合に、執務室の照明（照明装置による人工照明）の照度を上げることで光刺激により覚醒度を向上させるという技術が従来より提案されている。しかしながら、人工照明の照度を上げることは、上述した省エネルギに相反することであり、昼光遮蔽制御装置の昼光利用による省エネルギ化の効果が充分に得られなくなってしまう。
【０００５】
本発明は上記事情に鑑みて為されたものであり、その目的は、昼光利用による省エネルギ化を図りつつ光刺激による覚醒度の向上も図ることができる昼光遮蔽制御装置を提供することにある。
【課題を解決するための手段】
【０００６】
請求項１の発明は、上記目的を達成するために、採光部から執務室内に入射する昼光を遮蔽する遮蔽手段を制御し、所定のアルゴリズムにより当該遮蔽手段における光の透過度を調節することで採光部からの入射光量を調整する昼光遮蔽制御装置であって、屋外の照度を検出する照度検出手段と、執務室内で執務する複数の執務者の覚醒度を取得する覚醒度取得手段と、覚醒度取得手段により取得した個々の執務者の覚醒度を用いて執務者全員の覚醒度を評価する覚醒度評価手段とを備え、制御手段は、照度検出手段で検出する屋外の照度が所定の照度基準値よりも大きいという照度条件、並びに覚醒度評価手段で評価する執務者全員の覚醒度が所定の第１覚醒度基準値よりも低いという第１の覚醒度条件の少なくとも一方が満たされない場合は、前記アルゴリズムによって遮蔽手段における透過度を調節し、照度条件と第１の覚醒度条件が両方とも満たされた場合は、前記アルゴリズムによる透過度よりも所定時間だけ遮蔽手段における透過度を増大させることを特徴とする。
【０００７】
請求項１の発明によれば、執務者全員の覚醒度が第１覚醒度基準値以上であるときは、所定のアルゴリズムにより遮蔽手段における光の透過度を調節することで採光部からの入射光量を調整して昼光利用を行い、執務者全員の覚醒度が第１覚醒度基準値よりも低くなり且つ屋外の照度が所定の照度基準値よりも大きければ、前記アルゴリズムによる透過度よりも所定時間だけ遮蔽手段における透過度を増大することにより、光刺激によって執務者の覚醒度を向上することができる。その結果、昼光利用による省エネルギ化を図りつつ光刺激による覚醒度の向上も図ることができる。
【０００８】
請求項２の発明は、請求項１の発明において、前記所定時間は、覚醒度評価手段で評価する執務者全員の覚醒度が、第１覚醒度基準値よりも大きい値に設定された第２覚醒度基準値を超えるまでの時間としたことを特徴とする。
【０００９】
請求項２の発明によれば、執務者全員の覚醒度を確実に向上することができる。
【００１０】
請求項３の発明は、請求項２の発明において、制御手段は、前記所定時間が予め決められた上限時間に達した場合、前記アルゴリズムによって遮蔽手段における透過度を調節することを特徴とする。
【００１１】
請求項３の発明によれば、光刺激を必要以上に長く受けることで執務者の作業効率が低下してしまうのを防ぐことができる。
【００１２】
請求項４の発明は、請求項１〜３の何れか１項の発明において、執務者による操作入力を受け付ける操作入力受付手段を備え、前記所定時間内に操作入力受付手段で操作入力が受け付けられた場合、制御手段は、前記アルゴリズムによって遮蔽手段における透過度を調節することを特徴とする。
【００１３】
請求項４の発明によれば、操作入力受付手段で操作入力を受け付けることにより、光刺激を受けた執務者の覚醒度が向上したことを確認することができるから、それ以降は、前記アルゴリズムによって遮蔽手段における透過度を調節することで省エネルギ化を図ることができる。
【００１４】
請求項５の発明は、請求項１〜４の何れか１項の発明において、制御手段は、前記所定時間の開始時点から操作入力受付手段で操作入力が受け付けられた時点までの経過時間と、当該経過時間内の遮蔽手段における透過度とを記憶し、次に照度条件と第１の覚醒度条件が両方とも満たされた場合は、記憶した前記経過時間及び透過度に応じた所定量だけ所定時間を短くするか若しくは透過度を減少させることを特徴とする。
【００１５】
請求項５の発明によれば、光刺激によって執務者の覚醒度が向上したことが確認された場合に、次回以降は覚醒度の向上が確認された時間や透過度に応じて所定時間若しくは透過度を調整することで、より快適に覚醒度を向上することができる。
【００１６】
請求項６の発明は、請求項１〜５の何れか１項の発明において、照度条件と第１の覚醒度条件が両方とも満たされることで制御手段が遮蔽手段における透過度の調節を開始する前に、各執務者に対して透過度の調節開始を報知する報知手段を備えたことを特徴とする。
【００１７】
請求項６の発明によれば、透過度の調節開始を事前に報知することで執務者が不満を覚えたり、故障と誤判断することを防ぐことができる。
【００１８】
請求項７の発明は、請求項１〜６の何れか１項の発明において、第１覚醒度基準値は、過去の覚醒度の履歴に基づいて時間帯や曜日などの他の条件に応じた値に設定されることを特徴とする。
【００１９】
請求項７の発明によれば、執務室の環境や執務者の個人差などに応じた適切な値に第１覚醒度基準値を設定することで快適性を損なうことなく覚醒度を向上することができる。
【発明の効果】
【００２０】
本発明によれば、昼光利用による省エネルギ化を図りつつ光刺激による覚醒度の向上も図ることができる。
【発明を実施するための最良の形態】
【００２１】
以下、図面を参照して本発明の実施形態を詳細に説明する。但し、以下に説明する実施形態では、特許文献１に記載されている従来技術と同様に、屋外の日射状態とブラインドの開閉度とに基づいて採光部における眩しさ感の評価指標を推定し、眩しさ感の評価指標が不快を示す値でなくなるようにブラインドの開閉度を調節するアルゴリズムを実行する場合について例示するが、昼光遮蔽制御のアルゴリズムは本実施形態のものに限定する趣旨ではなく、例えば、特許文献１に記載されている従来例のように、屋外の日射状態と屋内における照明装置の配置情報とブラインドの開閉度とに基づいて採光部における眩しさ感の評価指標を推定し、眩しさ感の評価指標が不快を示す値でなくなるようにブラインドの開閉度を調節するアルゴリズムや、太陽の位置に応じてブラインドの開閉度を調整して採光部から入射する直射光を遮るアルゴリズム、単に昼の時間帯に採光部から入射する昼光を遮蔽するアルゴリズムなどであっても構わない。
【００２２】
本実施形態の昼光遮蔽制御装置Ａは、図１に示すように建物（オフィスビル）の壁面に開口した採光部（窓）から執務室内に入射する昼光を遮蔽する遮蔽手段Ｂを制御し、遮蔽手段Ｂにおける光の透過度を調節することで採光部からの入射光量を調整するものであって、屋外の日射状態を取得する日射状態取得手段１と、日射状態取得手段１で取得する日射状態と遮蔽手段Ｂにおける光の透過度とに基づいて採光部における眩しさ感の評価指標を推定した結果を取得する評価指標取得手段２と、遮蔽手段Ｂにおける透過度を調節する制御手段３と、屋外の照度を検出する照度検出手段４と、執務室内で執務する複数の執務者の覚醒度を取得する覚醒度取得手段５と、覚醒度取得手段５により取得した個々の執務者の覚醒度を用いて執務者全員の覚醒度を評価する覚醒度評価手段６とを備えている。
【００２３】
ここで、本実施形態の昼光遮蔽制御装置Ａは、図２に示すようなオフィスビル内の環境を総合的に制御する設備システムに組み込まれている。この設備システムは、本実施形態の昼光遮蔽制御装置Ａと遮蔽手段Ｂからなる日射遮蔽システムと、建物の機械室に設置されている空調機や執務室の天井裏に設置されている変風量ユニット（ファンコイルユニット）などを制御する空調システムＣと、執務室内の天井等に設置される照明器具を制御する照明システムＤと、屋外の照度を計測する照度計若しくは日射量計Ｅと、照度計若しくは日射量計Ｅで計測した照度若しくは日射量の計測値データを、設備システム用の伝送線Ｌｓを介して日射制御装置１や空調システムＢのコントローラ（図示せず）、さらに照明システムＣのコントローラ（図示せず）に伝送する計測コントローラＦとを有している。尚、昼光遮蔽制御装置Ａにおいては、照度検出手段４で検出する照度の代わりに、照度計若しくは日射量計Ｅで計測され、計測コントローラＦから信号線Ｌｓを通して伝送信号により送信される照度又は日射量の計測値を用いることも可能である。また本実施形態では、執務室内の各執務者のデスクに設置された複数台のパーソナルコンピュータなどのネットワーク端末と日射遮蔽システムとの間においても、図示しないゲートウェイ装置を介してデータ伝送を行うことができるようになっている。
【００２４】
遮蔽手段Ｂは、採光部（窓）に設けられたベネチャンブラインド（以下、「ブラインド」という。）と、ブラインドの各スラットを鉛直面内において０度〜９０度の範囲で回動する回動機構（図示せず）とを有しており、後述するように昼光遮蔽制御装置Ａの制御手段３により回動機構が制御されてスラットの角度（鉛直方向における水平面からのスラットの傾き角であって、以下、「スラット角」と呼ぶ。）を変化させることで採光部から採光する光（昼光）の遮蔽度（透過度）が調節可能である。尚、ブラインド以外の遮蔽手段としては、例えば複数枚のガラス板の間に液晶シートを介在させ、当該液晶シートへの通電を制御して光透過率を調整可能としたスマートウィンドウを用いても構わない。
【００２５】
日射状態取得手段１は、図示しない時計（システムタイマ）により現在の時刻を取得し、建物の立地条件（建物の緯度、経度）とに基づいて現在の太陽位置（高度及び方位角）を算出する機能と、照度検出手段４により各方位の鉛直面照度を例えば１分間隔で取得する機能と、太陽位置と照度検出手段４が検出する照度を換算して求めた日射量から直射光（採光部を通して執務室内に直接入射する光）の有無を判定する機能とを有している。なお、照度検出手段４は建物の屋上等のように屋外の適所に設けられている。但し、照度検出手段４の代わりに日射量を計測する日射量計を用い、日射量から照度へ変換するようにしても良い。
【００２６】
また評価指標取得手段２は、遮蔽手段Ｂの遮蔽度（ブラインドのスラット角）と、取得した照度及び太陽位置からなる日射状態に基づいて建物内に居る人が座位の状態で感じる眩しさ感を環境シミュレーションによりリアルタイムで推定し、この推定した眩しさ感が、不快を示さない範囲となるようにブラインドの開閉度（透過度）を決定する機能を有している。
【００２７】
覚醒度取得手段５は、例えば、パーソナルコンピュータを使って執務（作業）している執務者の顔および頭部をネットワークカメラで撮像した映像をネットワーク経由で収集し、当該映像を画像処理することで執務者が瞬きする頻度や頭部の動きなどから各執務者の覚醒度をリアルタイムで検知して取得している。覚醒度評価手段６は、覚醒度取得手段５により取得した個々の執務者の覚醒度を用いて執務者全員の覚醒度を推定する機能と、推定した覚醒度（執務者全員の覚醒度）Ｍを第１覚醒度基準値Ｍth1並びに第２覚醒度基準値Ｍth2（Ｍth1＜Ｍth2）と各々比較して評価する機能とを有している。尚、覚醒度取得手段５による覚醒度の検知方法や覚醒度評価手段６における覚醒度Ｍの求め方等については従来周知の技術で実現できるものであるから詳細な説明は省略する。
【００２８】
制御手段３は、評価指標取得手段２で決定された透過度とブラインドのスラット角とが一致するように遮蔽手段Ｂの回動機構を制御する機能を有している。但し、ブラインドの透過度（開閉度）とはブラインドが動作する範囲の内、動作可能な開閉度合（直射昼光の透過度合）を示しており、例えば、ブラインドがスラット角θ＝０度〜９０度の内、１０度刻みに動作可能なベネチャンブラインドからなる場合では、０度，１０度，２０度，３０度，…，９０度となる。尚、ブラインドの開閉度は１度刻みあるいは５度刻みなどであってもよい。また、日射量計や照度計が故障する等して照度の情報が得られない場合であっても、曇天や雨天の場合を除き、太陽位置を照度の情報として利用することが可能である。例えば、太陽位置（太陽高度）が２０°以上程度であれば、遮蔽手段Ｂの透過度を増大することで昼光による光刺激を執務者に与えることができる。
【００２９】
また制御手段３は、覚醒度評価手段６による覚醒度Ｍの評価結果に応じて評価指標取得手段２で決定された透過度を補正する機能も有している。すなわち、覚醒度評価手段６において覚醒度Ｍが第１覚醒度基準値Ｍth1以下まで低下していると評価された場合、制御手段３は、評価指標取得手段２で決定した透過度（ブラインドの開閉度）を増大させることで執務者に光刺激（眩しさ感）を与えて覚醒度Ｍを向上させるような制御（以下、「覚醒度向上制御」と呼ぶ。）を行っている。但し、覚醒度向上制御によって執務者全員の覚醒度Ｍが第２覚醒度基準値Ｍth2まで向上したら、制御手段３は、覚醒度向上制御を終了し、評価指標取得手段２で決定された透過度にブラインドのスラット角を一致させる通常の制御（以下、「眩しさ感抑制制御」と呼ぶ。）を再開する。
【００３０】
次に、図３のフローチャートを参照しながら本実施形態の動作を説明する。
【００３１】
まず昼光遮蔽制御装置Ａをスタートさせると、日射状態取得手段１は、予めメモリ（図示せず）に格納されている建物（オフィスビル）に関する情報（建物の緯度及び経度など）を読み込み（ステップＳ１）、さらに、システムタイマから１０乃至３０（分）の間隔で現在時刻を取得し（ステップＳ２）、この現在時刻と予め登録されている或いはＧＰＳなどから取得した当該装置の設置場所の地球上の位置情報とに基づいて現在の太陽の位置を計算する（ステップＳ３）。太陽位置の計算は、建物の緯度及び経度と、現在時刻とに基づいて太陽高度、太陽方位角を適宜な周知の計算方法により計算できる。続いて、日射状態取得手段１は、採光部への入射角、見かけ高度（太陽高度を採光部に対して垂直方向に補正した高度）を算出する。ここで採光部への入射角ｉ’は、図４に示すように現在の太陽高度をｈ［°］、方位角をＡ［°］、窓面の向きＡ０とすると下式で表される。
【００３２】
ｉ’＝ｃｏｓ−１［ｃｏｓ（ｈ）×ｃｏｓ（Ａ−Ａ０）］
また見かけ高度ｈ’は
ｈ’＝ａｒｃ ｔａｎ［ｔａｎ（ｈ）／ｃｏｓ（Ａ−Ａ０）］
となる。尚図４中Ｅ，Ｗ，Ｓ，Ｎは東西南北の方位を示し，Ｚは鉛直方向を示す。
【００３３】
日射状態取得手段１は、算出した採光部への入射角ｉ’より採光部に対する直射光の有無を判定するとともに、照度検出手段４から各方位の鉛直面照度を収集する（ステップＳ４）。
【００３４】
さて上述のように日射状態取得手段１で、時刻の取得と、太陽位置の算出と、直射光入射判定が終了すると、ステップＳ５〜Ｓ６のループにおいて、評価指標取得手段２が最適なスラット角（遮蔽手段Ｂの透過度）の候補を０度〜９０度の範囲で１０度ずつ変化させてシミュレーションを行って求める。このループ内ではステップＳ５において環境シミュレーションにより眩しさ感の予測を行う。この予測では眩しさ感（グレア感）の評価指標ＰＧＳＶ（Predicted Glare Sensation Vote）を用いて眩しさ感（グレア感）を予測する。このＰＧＳＶは、昼光利用時における眩しさ感を評価する式として提案（戸倉、岩田他：「窓からの昼光によるグレア感の評価方法に関する実験的研究 その１ 光環境実験室を用いた実験」、日本建築学会大会学術講演梗概 ，１９９２．８参照）されており、窓面に対する光源と背景の輝度対比と、居住者のグレア感（眩しさ感）を関連付けた式（数１参照）で表現される。
【００３５】
【数１】
0004956410.tif 000002
【００３６】
Ｌｂ：背景輝度［ｃｄ／ｍ２ ］
Ｌseq：相当均一輝度（光源輝度）［ｃｄ／ｍ２］
ω： 光源の立体角［ｓｒ］
而して、評価指標取得手段２では上記式から求めた評価指標ＰＧＳＶの値が不快とまでは感じない許容範囲内に収まっているか否かを判定し、許容範囲内に収まっていれば現在の候補をスラット角に決定し、前記ループを抜ける。ここで評価指標ＰＧＳＶの尺度は、表１に示す通りであって、この尺度から上記許容範囲を、例えば、0.0〜2.0の範囲に設定する。
【００３７】
【表１】
0004956410.tif 000003
【００３８】
そして、評価指標取得手段２で決定されたスラット角が制御手段３に渡され、制御手段３は決定したスラット角となるように遮蔽手段Ｂの回動機構を制御してブラインドの開閉度（透過度）を調節する（ステップＳ７）。
【００３９】
一方、昼光遮蔽制御装置Ａがスタートすると、覚醒度取得手段５が執務室内で執務している各執務者の覚醒度を検出し、さらに覚醒度評価手段６が覚醒度取得手段５で取得した各執務者の覚醒度から執務者全員の覚醒度Ｍを評価する（ステップＳ８）。図５は覚醒度評価手段６で求めた覚醒度Ｍ（実線イ）を示しており、昼休みが終了する時刻（１３時）から徐々に覚醒度Ｍが低下し、１４時〜１５時の間に最も低くなり、１５時を過ぎてから徐々に上昇する傾向を持っている。覚醒度評価手段６は、覚醒度取得手段５から最新の覚醒度Ｍを受け取ると、制御手段３が覚醒度向上制御の実行中か否か判断し（ステップＳ９）、覚醒度向上制御の実行中でなければ覚醒度Ｍが第１覚醒度基準値Ｍth1を下回っているか否かを判定する（ステップＳ１０）。覚醒度Ｍが第１覚醒度基準値Ｍth1以上であれば、ステップＳ８に戻って覚醒度取得手段５が新たに覚醒度Ｍを取得する。
【００４０】
覚醒度Ｍが第１覚醒度基準値Ｍth1を下回ったと判定したら、覚醒度評価手段６は制御手段３に覚醒度向上制御を実行させるための補正値を決定し（ステップＳ１１）、その補正値で評価指標ＰＧＳＶの値に対する許容範囲の上限値を補正する（ステップＳ１２）。例えば、通常は2.0に設定されている許容範囲の上限値を2.5に補正する。
【００４１】
このように許容範囲の上限値が補正されると、評価指標取得手段２で決定するスラット角も相対的に大きくなり（ステップＳ５〜Ｓ６）、その結果、制御手段３によって制御されるブラインドの開閉度（透過度）が大きくなることで眩しさ感が増大するため、図５に破線ロで示したように光刺激によって執務者の覚醒度Ｍが徐々に向上することになる。但し、光刺激によって執務者の覚醒度Ｍを向上させるためには、採光部からある程度の直射光が入射していることが必要条件となるので、照度検出手段４で検出する屋外の照度が予め決められた所定の照度基準値よりも大きいという照度条件と、覚醒度評価手段６で評価する執務者全員の覚醒度Ｍが第１覚醒度基準値Ｍth１よりも低いという第１の覚醒度条件との両方を満たす場合にだけ、制御手段３が覚醒度向上制御を実行するようにしている。
【００４２】
そして、覚醒度Ｍが第２覚醒度基準値Ｍth2以上になるまで制御手段３が上述の覚醒度向上制御を実行し、覚醒度Ｍが第２覚醒度基準値Ｍth2以上になったら（ステップＳ１３）、覚醒度評価手段６は制御手段３に覚醒度向上制御を終了させて通常の眩しさ感抑制制御に復帰させるために補正値を削除し（ステップＳ１３）、評価指標ＰＧＳＶの値に対する許容範囲の上限値を元の値（2.0）に戻す（ステップＳ１２）。
【００４３】
而して本実施形態によれば、執務者全員の覚醒度Ｍが第１覚醒度基準値Ｍth1以上であるときは、執務者が採光部を見たときに眩しさを感じることがないように昼光利用（制御手段３による眩しさ感抑制制御）を行い、執務者全員の覚醒度Ｍが第１覚醒度基準値Ｍth1よりも低くなり且つ屋外の照度が所定の照度基準値よりも大きければ、執務者が採光部を見たときに眩しさを感じる程度まで執務室内への入射光量を増大することにより、光刺激によって執務者の覚醒度を向上することができ、その結果、昼光利用による省エネルギ化を図りつつ光刺激による覚醒度の向上も図ることができる。また、制御手段３が覚醒度向上制御を実行する所定時間を、覚醒度評価手段６で評価する執務者全員の覚醒度Ｍが、第１覚醒度基準値Ｍth1よりも大きい値に設定された第２覚醒度基準値Ｍth2を超えるまでの時間Ｔｍとしたことにより（図５参照）、執務者全員の覚醒度Ｍを確実に向上することができる。尚、覚醒度向上制御を実行しても執務者全員の覚醒度Ｍがあまり向上しない場合、執務者に光刺激を与え続けると不快感が増大するだけでなく、省エネルギ化にも反することになる。故に、覚醒度向上制御を実行する所定時間Ｔｍに上限値を設定しておき、例え覚醒度Ｍが第２覚醒度基準値Ｍth2以上に達していなくても、覚醒度向上制御の開始時点から上限値が経過した時点で覚醒度評価手段６が補正値を削除し、制御手段３に覚醒度向上制御を中止させて通常の眩しさ感抑制制御に復帰させれば、光刺激を必要以上に長く受けることで執務者の作業効率が低下してしまうのを防ぐことができる。
【００４４】
一方、執務者全員の覚醒度Ｍが第２覚醒度基準値Ｍth2以上に向上するまでに既に第２覚醒度基準値Ｍth2を超えるまで覚醒度が向上した執務者にとっては、必要以上の光刺激を受けることで不快感を感じる場合がある。そこで、そのように早く覚醒度が向上した執務者の操作入力を受け付ける操作入力受付手段７を昼光遮蔽制御装置Ａに設けておき、操作入力受付手段７で操作入力が受け付けられたら、制御手段３に強制的に覚醒度向上制御を中止させて眩しさ感抑制制御に復帰させることが望ましい。つまり、操作入力受付手段７で操作入力を受け付けることにより、光刺激を受けた執務者の覚醒度が向上したことを確認することができるから、それ以降は、眩しさ感抑制制御を行うことで省エネルギ化を図ることができる。尚、操作入力受付手段７は、執務室に設置される手動のスイッチであってもよいし、あるいはウェブサーバ機能を利用して執務者のパーソナルコンピュータの画面上にボタンを表示させ、当該ボタンがマウス等の入力デバイスでクリックされたときに操作入力を受け付けるようにしても構わない。
【００４５】
また、制御手段３が、覚醒度向上制御の開始時点から操作入力受付手段７で操作入力が受け付けられた時点までの経過時間と、当該経過時間内の遮蔽手段Ｂにおける透過度（ブラインドの開閉度）とを記憶し、次に覚醒度向上制御を実行する際に、記憶した前記経過時間及び透過度に応じた所定量だけ所定時間Ｔｍを短くするか若しくは透過度を減少させてもよい。すなわち、操作入力受付手段７が操作入力を受け付けることで光刺激により執務者の覚醒度が向上したことが確認された場合に、次回以降は覚醒度の向上が確認された時間や透過度に応じて所定時間Ｔｍ若しくは透過度を調整することで、より快適に覚醒度を向上することができる。
【００４６】
ところで、制御手段３の行う制御内容が眩しさ感抑制制御から覚醒度向上制御に切り換わっていることを執務者が認識していない場合、眩しさ感が増すことで執務者が不満を覚えたり、あるいは昼光遮蔽制御装置Ａが故障したと誤判断することが考えられる。そこで、制御手段３が覚醒度向上制御を開始する前に、各執務者に対して覚醒度向上制御の開始を報知手段（図示せず）によって報知することで執務者が不満を覚えたり、故障と誤判断することを防ぐことが望ましい。このような報知手段は、例えば、執務室内に設置した電光掲示板や、執務者のパーソナルコンピュータの画面にポップアップメッセージを表示させるソフトウェアで実現できる。
【００４７】
ところで、執務室で執務する執務者の人数や各執務者の個人差などによって覚醒度Ｍの特性は大きく異なると考えられる。従って、第１覚醒度基準値Ｍth1を高く設定しすぎると、執務者全員の覚醒度Ｍが相対的に低い執務室では頻繁に覚醒度向上制御が実行されるために執務者の不快感が増すとともに省エネルギの達成度が低下し、反対に第１覚醒度基準値Ｍth1を低く設定しすぎると、執務者全員の覚醒度Ｍが相対的に高い執務室では覚醒度向上制御が殆ど実行されなくなってしまう。そこで、快適性を損なうことなく覚醒度を向上するために、過去の数週間や数ヶ月間に渡る覚醒度Ｍの履歴から当該執務室において著しく覚醒度Ｍが低下する条件、例えば、時間帯や曜日などを見つけ出し、それらの条件に応じて第１覚醒度基準値Ｍth1を設定することが望ましい。
【図面の簡単な説明】
【００４８】
【図１】本発明に係る日射制御装置の実施形態を示すブロック図である。
【図２】同上を含む設備システムのシステム構成図である。
【図３】同上の動作説明用のフローチャートである。
【図４】同上における太陽位置の計算の説明図である。
【図５】同上における覚醒度向上制御の説明図である。
【符号の説明】
【００４９】
Ａ  昼光遮蔽制御装置
１  日射状態取得手段
２  評価指標取得手段
３  制御手段
４  照度検出手段
５  覚醒度取得手段
６  覚醒度評価手段
【図１】
0004956410.tif 000004
【図２】
0004956410.tif 000005
【図３】
0004956410.tif 000006
【図４】
0004956410.tif 000007
【図５】
0004956410.tif 000008